(57)【要約】      （修正有）【課題】用紙分離ローラの受ける力のバランスを維持可能な用紙分離構造を提供する。【解決手段】用紙分離ローラ組１と、用紙分離ローラ組の下側に設けられる複数の用紙取り出しローラ２とを備える、スキャナー内に設けられる用紙分離構造１００であって、用紙分離ローラ組は、回転部と回転軸とを有し、回転部には、２つのハブと、連結部とが設けられ、２つのハブは、連結部で連結され、２つのハブ及び連結部には、回転軸の方向に貫通する固定口が形成され、固定口には、その中間位置から２つの開口に向かって内径が徐々に拡大されるように２つの揺動エリアが形成され、回転軸は、固定口に挿通されるように設けられるとともに揺動エリア内で揺動可能であり、複数の用紙取り出しローラと用紙分離ローラ組とは互いに接触する。用紙分離構造は、回転部が用紙取り出しローラに合わせて好適に回転できることにより、受ける力のバラツキによる回転部の損傷がなくなる。【選択図】図１
0003231167.tif 000002
【実用新案登録請求の範囲】
【請求項１】
用紙分離ローラ組と、前記用紙分離ローラ組の下側に設けられる複数の用紙取り出しローラとを備える、スキャナー内に設けられる用紙分離構造であって、
前記用紙分離ローラ組は、回転部と回転軸とを有し、
前記回転部には、２つのハブと、連結部とが設けられ、
前記２つのハブは、前記連結部で連結され、
前記２つのハブ及び前記連結部には、回転軸の方向に貫通する固定口が形成され、
前記固定口には、その中間位置から２つの開口に向かって内径が徐々に拡大されるように２つの揺動エリアが形成され、
前記回転軸は、前記固定口に挿通されるように設けられるとともに前記揺動エリア内で揺動可能であり、
前記複数の用紙取り出しローラと前記用紙分離ローラ組とは互いに接触する、
ことを特徴とする、用紙分離構造。
【請求項２】
前記回転軸には、前記固定口の開口より大きくかつ前記回転部の一端を止めるためのリミットリングが更に設けられる、
ことを特徴とする、請求項１に記載の用紙分離構造。
【請求項３】
前記用紙分離ローラ組における前記ハブの外周面には、前記用紙取り出しローラに接触するゴム皮が更に設けられる、
ことを特徴とする、請求項１に記載の用紙分離構造。
【請求項４】
前記用紙分離ローラ組には、支持具が更に設けられており、
前記支持具は、前記回転部及び前記回転軸の上を覆い、下面に下方に突出して形成された接触部を有し、上面に上方に突出して形成された突起台を有し、
前記接触部は、前記連結部に対応した位置に設けられるとともに上から下へ前記連結部に接触し、
前記突起台は、前記接触部に対応した位置に設けられるとともにバネの一端に装着され、
前記バネの他端は、前記スキャナー内に装着される、
ことを特徴とする、請求項１に記載の用紙分離構造。
【請求項５】
前記回転部の前記連結部には、外側に突出して形成された係止部が更に設けられ、
前記接触部は、凹んでなる係止溝を有し、
前記係止部が前記係止溝内に装着されることで、前記接触部が前記連結部に安定に固定される、
ことを特徴とする、請求項４に記載の用紙分離構造。
【考案の詳細な説明】
【技術分野】
【０００１】
本考案は、用紙分離構造に関し、特に、用紙分離ローラの受ける力のバランスを維持可能な用紙分離構造に関する。
【背景技術】
【０００２】
周知のスキャナーは、用紙分離ローラと用紙取り出しローラとの連動によって用紙を内部に搬送する。しかしながら、用紙分離ローラ及び用紙取り出しローラは、製造工程において異なる程度のバラツキが生じることがある。そのバラツキにより、用紙分離ローラと用紙取り出しローラとは完全に噛み合うことができない。そのバラツキがごく小さいものであっても、スキャナーの使用時には、用紙分離ローラと用紙取り出しローラとの間の受ける力にバラツキが生じるため、長期の使用に亘って用紙分離ローラ又は用紙取り出しローラが損傷しやすくなり、スキャン機能に影響を及ぼす。
【０００３】
よって、用紙分離ローラ及び用紙取り出しローラの受ける力のバランスを維持可能な用紙分離構造の提供が必要となる。
【考案の概要】
【考案が解決しようとする課題】
【０００４】
本考案は、用紙分離ローラの受ける力のバランスを維持可能な用紙分離構造を提供することを目的とする。
【課題を解決するための手段】
【０００５】
上記目的を実現するために、本考案に係る用紙分離構造は、用紙分離ローラ組と、前記用紙分離ローラ組の下側に設けられる複数の用紙取り出しローラとを備える、スキャナー内に設けられる用紙分離構造であって、前記用紙分離ローラ組は、回転部と回転軸とを有し、前記回転部には、２つのハブと、連結部とが設けられ、前記２つのハブは、前記連結部で連結され、前記２つのハブ及び前記連結部には、回転軸の方向に貫通する固定口が形成され、前記固定口には、その中間位置から２つの開口に向かって内径が徐々に拡大されるように２つの揺動エリアが形成され、前記回転軸は、固定口に挿通されるように設けられるとともに揺動エリア内で揺動可能であり、複数の用紙取り出しローラと用紙分離ローラ組とは互いに接触し、用紙取り出しローラの数は、用紙分離ローラのハブの数に対応して設定される。
【考案の効果】
【０００６】
上記のとおり、本考案に係る用紙分離構造は、固定口内に位置する揺動エリアにより、回転部が揺動して用紙取り出しローラに当接するようになる。このように、回転部は、用紙取り出しローラに合わせて好適に回転することができ、受ける力のバラツキによる損傷がなくなる。
【図面の簡単な説明】
【０００７】
【図１】本考案に係る用紙分離構造の斜視図である。
【図２】本考案に係る用紙分離構造の分解斜視図である。
【図３】本考案に係る用紙分離構造におけるハブの斜視図である。
【図４】本考案に係る用紙分離構造における用紙分離ローラ組の斜視図である。
【図５】本考案に係る用紙分離構造における用紙分離ローラ組の他の角度から見た斜視図である。
【図６】図５のＶＩ−ＶＩ線に沿う用紙分離ローラ組の回転軸の揺動前の断面図である。
【図７】図５のＶＩＩ−ＶＩＩ線に沿う用紙分離ローラ組の回転軸の揺動時の断面図である。
【考案を実施するための形態】
【０００８】
以下、実施例及び図面を参照しながら、本考案の技術、特徴、目的、及び効果について詳しく説明する。
【０００９】
図１〜図２に示すように、本考案に係る用紙分離構造１００は、用紙分離ローラ組１と、複数の用紙取り出しローラ２とを備え、スキャナー内に設けられる。
【００１０】
図２〜図５に示すように、用紙分離ローラ組１は、回転部１１と回転軸１２とを有する。回転部１１には、２つのハブ１１１と、連結部１１２とが設けられ、２つのハブ１１１は、連結部１１２で連結され、２つのハブ１１１及び連結部１１２には、回転軸１２の方向に貫通する固定口１１３が形成される。図６及び図７に示すように、固定口１１３には、その中間位置から２つの開口に向かって内径が徐々に拡大されるように２つの揺動エリア１１４が形成される。回転軸１２は、固定口１１３に挿通されるように設けられるとともに揺動エリア１１４内で揺動可能である。
【００１１】
図１及び図２に示すように、回転軸１２には、固定口１１３の開口より大きくかつ回転部１１の一端を止めるためのリミットリング１２１が更に設けられている。リミットリング１２１により、回転部１１の回転軸１２上の位置を維持することができる。
【００１２】
複数の用紙取り出しローラ２は、用紙分離ローラ組１の下側に設けられ、用紙分離ローラ組１と互いに接触する。用紙取り出しローラ２の数は、用紙分離ローラ１のハブ１１１の数に対応して設定される。用紙取り出しローラ２は、用紙分離ローラ１のハブ１１１に対応して設置される。
【００１３】
また、図１及び図２に示すように、用紙分離ローラ組１におけるハブ１１１の外周面には、用紙取り出しローラ２に接触するゴム皮１１５が更に設けられている。
【００１４】
用紙分離ローラ組１には、支持具１４が更に設けられている。支持具１４は、回転部１１及び回転軸１２の上を覆っている。支持具１４の下面には、下方に突出して形成された接触部１４１を有し、接触部１４１は、連結部１１２に対応した位置に設けられるとともに上から下へ連結部１１２に接触する。支持具１４の上面には、上方に突出して形成された突起台１４２を有し、突起台１４２は、接触部１４１に対応した位置に設けられるとともにバネ１５の一端に装着されている。バネ１５の他端は、スキャナー内に装着されている。バネ１５は、支持具１４に下への力を付与することができる。それにより、回転部１１は降下して用紙取り出しローラ２に当接するようになる。
【００１５】
回転部１１の連結部１１２には、外側に突出して形成された係止部１１２１が更に設けられている。接触部１４１は、凹んでなる係止溝１４１１を有し、係止部１１２１が係止溝１４１１内に装着されることで、接触部１４１は連結部１１２に安定に固定されるようになる。
【００１６】
図６及び図７に示すように、用紙取り出しローラ２は、製造工程においてバラツキが生じることがあるため、表面が平坦ではない。そこで、回転部１１を用紙取り出しローラ２に当接させようとする時に、固定口１１３内の揺動エリア１１４により、回転部１１は揺動して用紙取り出しローラ２に当接することができる。
【００１７】
上記のとおり、本考案の用紙分離構造１００は、固定口１１３内の揺動エリア１１４により、回転部１１が揺動して用紙取り出しローラ２に当接するようになる。このように、回転部１１は、用紙取り出しローラ２に合わせて好適に回転することができ、受ける力のバラツキによる損傷がなくなる。
【符号の説明】
【００１８】
１００  用紙分離構造
１  用紙分離ローラ組
１１  回転部
１１１  ハブ
１１２  連結部
１１２１  係止部
１１３  固定口
１１４  揺動エリア
１１５  ゴム皮
１２  回転軸
１２１  リミットリング
１４  支持具
１４１  接触部
１４１１  係止溝
１４２  突起台
１５  バネ
２  用紙取り出しローラ
【図１】
0003231167.tif 000003
【図２】
0003231167.tif 000004
【図３】
0003231167.tif 000005
【図４】
0003231167.tif 000006
【図５】
0003231167.tif 000007
【図６】
0003231167.tif 000008
【図７】
0003231167.tif 000009